(57)【要約】【課題】  従来の陶磁器の容器の把手は回転して固定することができず、要介護者や高齢者には使いにくかった。【解決手段】  陶磁器製の容器に円錐状の凸部を設け、樹脂製の把手に円錐の凸部と同じテーパのすり鉢状の凹部を設け、嵌め合わせて接着する。【選択図】  図１
2005144103.tif 000002
【特許請求の範囲】
【請求項１】
樹脂製の横Ｔ字形の把手であって、横棒部分の先端をすり鉢状の凹部に形成した把手。
【請求項２】
前記すり鉢状の凹部の中心に円筒の軸を形成した請求項１記載の把手。
【請求項３】
円錐状の凸部を形成した陶磁器製の容器。
【請求項４】
前記円錐状の凸部の中心に筒状の穴を形成した請求項３記載の容器。
【請求項５】
前記円錐状の凸部と前記すり鉢状の凹部を、テーパで嵌め合わせた容器。
【請求項６】
前記筒状の穴と前記円筒の軸を嵌め合わせた請求項５記載の容器。
【請求項７】
陶磁器の溝と、樹脂製の容器受け部の爪が着脱自在になるものであって、該容器受け部の側面に前記把手を構成し、該陶磁器の底面を３センチメートル以上の高さに配置した容器受け部。
【請求項８】
前記把手の横棒と横棒から下の握りの部分の分岐部分の角度を鈍角に形成した請求項１，２，５，６，７記載の把手。
【発明の詳細な説明】
【技術分野】
【０００１】  本発明は、要介護者や高齢者が使用する容器と把手と容器受けに関する。
【背景技術】
【０００２】  コップなとの容器の把手は一般的に左右対称で中央にあるが、例えば右利きの人は把手側から見て時計回り方向に少し回転していると手首の角度が自然になって持ち易く、飲み終わりの時に腕を挙げる高さが低くなり、顔を上向きにする角度が小さくなる。左利きの人は逆になる。これは要介護者や高齢者にとっては大変重要なポイントである。【０００３】  ビールジョッキ等に、木や金属の把手がリング等の金具で取り付けられたものがある。【０００４】  陶磁器製ではないが樹脂やガラス製において、把手のついた樹脂や金属製のコップ受けに嵌め込むものや、容器部と台座部を溝と爪で脱着するもの（例えば、特許文献１参照。）がある。
【特許文献１】実登３０８０３８５号  広報
【発明の開示】
【発明が解決しようとする課題】
【０００５】  利き腕に合わせて回転方向を変えたものは、陶磁器作家がオーダーメードで製作している。従って、把手は陶磁器で一体で作られる。握力が弱くても指がかけ易い横Ｔ字形は細い横棒一点で支持される構造のため陶磁器では、ぶつけたり、落下によって破損し易いという欠点がある。また、重さが増すので手と腕の負担が増える。【０００６】  ビールジョッキ等の把手が別体のもので把手が回転するものはなく、リング等金属の金具による取り付け構造は容器部と金具部に隙間を生じ、細菌が入り込んた場合完全に洗浄できず施設や病院では院内感染の危険がある。【０００７】  本発明は、食事が楽しくなる陶磁器の魅力をそのままに、横Ｔ字形の把手で持ち易く、かつ丈夫で軽いものを実現することを目的とするものである。
【課題を解決するための手段】
【０００８】  本発明は上記目的を達成するために、陶磁器製の容器に円錐状の凸部を設け、樹脂製の把手に円錐の凸部と同じテーパのすり鉢状の凹部を設け、嵌め合わせて接着するものである。【０００９】  また、容量の小さい容器には、上記把手を備えた容器受けを設けて所定の高さに配置するものである。【００１０】  これにより、把手の角度を選択して接着することが可能になり、嚥下時の姿勢の負担を減少させると共に把手の強度を十分なものにすることができる。
【発明の効果】
【００１１】  上述したように本発明の容器と把手は、握力が弱くても保持し易く、腕の持ち上げを少なくし、摂取時の顔の仰臥角度を小さくすることができると共に、把手の破損を気にすることなく焼き物の魅力を楽しむことができ、自分だけが違うという寂しい思いをすることなく、伴侶や家族と同じデザインの食器を使うという満足感が得られる。
【発明を解決するための最良の形態】
【００１２】  以下、本発明の実施の形態を図１〜図８に基づいて説明する。
【００１３】  図１は、本発明の実施形態を示す容器と把手の断面図である。陶磁器製の容器１には円錐状の凸部１ａが設けてあり、中心とテーパを同じくするすり鉢状の凹部２ｂと嵌め合っている。そのため円錐状の凸部１ａの出来上がり寸法がばらついても密着する。がたがでないので取り付け位置が決まり、接着剤３の厚みが均一になる。
【００１４】  寸法のばらつきについて説明する。陶磁器は製作方法や形状、乾燥時期、土の種類、含水量、焼成温度によって変わる。例えば１５％〜１６％収縮する一般的な土で収縮段階を計算して製作したとしても、出願人の実験によれば接続部分の寸法のばらつきは１０％以上になる。従ってテーパによる嵌め合いが有効となる。
【００１５】  本発明では、更に円錐状の凸部１ａの中心に円筒の穴１ｂを設け、すり鉢状の凹部２ｂの中心に棒２ｃを設けて嵌め合わせる。これにより横棒の曲げ方向に対する力に抵抗する。
【００１６】  また、陶器部は寸法変化しないか僅かであるが、樹脂部は温度によって膨張あるいは収縮するが、本発明では、膨張時には棒２ｃが円筒の穴１ｂに突っ張り、収縮時には外側のすり鉢部の凹部２ｂが締め込むので剥離方向に働かない。
【００１７】  把手２は把手の横棒２ａ一本で支持されているが樹脂製なので十分な強度をもち陶磁器製のように衝撃や落下で破損しにくい。円錐状の凸部１ａの寸法も大きくできるので陶磁器側の強度も得られる。
【００１８】  容器１と把手２の段差ｍは少ない方が望ましい。容器１と把手２の段差ｍが大きいと頬や眼鏡に当たってしまう。
【００１９】  容器１と把手２は同一中心で接合されているため直立位置たけでなく、希望の回転位置で接着することが可能である。
【００２０】  図２は、本発明の把手を回転させた外観図である。右利きの人は２ｇ位置に、左利きの人は２ｆ位置にすると手首の角度が自然になり、嚥下時に腕を挙げる高さが低くなり、顔を上向きにする角度を小さくできる。
【００２１】  本発明になる横Ｔ字形の把手の特徴を図１と図３〜図５によって説明する。
【００２２】  一般的な横Ｔ字形の把手は横棒と握り部分が略直角に形成されている。そのため、図５に示すように、握力が弱い場合、把手は横に位置するので、嚥下時に容器１は重さによって垂れ下がってしまう。口元に当てるためには腕を顔の上面に上げねばならず、かつ手首が不自然な角度になって苦しい。
【００２３】  図１と図３に示すように、本発明になる把手２は横棒２ａがせり上がっている。そのため、図４に示すように、横棒２ａが回転しようとすると親指側面に当たる量が大きくなり、回転する力を止める。
【００２４】  握り部分の回転中心は、出願人の実験によると、横棒から下の部分の把手内側と外側の中心付近となる。また、その部分は横棒との分岐付近だけあればよい。従って把手の回転中心２ｄと把手の横棒の上面とが成す角度θが鈍角のとき本効果が得られる。
【００２５】  図３は本発明の把手の変形例を示す外観図である。図２の把手２が外側に湾曲しているのに対し、図３の把手２′は内側に湾曲している。
【００２６】  また、図１と図３に示す、ひさし２ｅは指の脱落を防ぐ。指をのせてもよく、利き腕用に回転させて固定した位置でも指を乗せ易いよう上面を丸くしている。
【００２７】  本発明の容器受けについて図６によって説明する。
【００２８】  要介護者、特に摂食嚥下障害の人は、摂取する量が少量で１００ミリリットル程度のものでよい。しかし小型の容器は高さが数センチメートルしかないので、手に持とうとすると親指が空振りして掴むことができない。
【００２９】  そのため、容器１を少し持ち上げた位置して、本発明になる把手２を備えるものである。容器はおよそ３センチメートル上げると使い易い高さになる。
【００３０】  また、把手２は、利き腕に合わせて回転して固定することができる。
【００３１】  容器が小型になるので、より軽くなるという効果も得られる。
【００３２】  本発明の容器受け４と容器１との接続構造について図６と図７によって説明する。
【００３３】  図６に示すように、爪４ａは溝１ｃに噛んでおり、図７に示すように３か所で溝１ｃを拘束している。爪４ａのついたリングは溝より一回り大きく、隙間４ｂを形成する。
【００３４】  リング４ｃの外周を押して扁平させることにより、隙間４ｂがつぶれ爪４ａが浮いて容器１を脱着する。脱着は洗浄のときに行う。リング４ｃの自由度は大きいので、陶磁器である溝１ｃの寸法がばらついても、十分誤差を吸収して、容器１を拘束することができる。
【００３５】  図８は、本発明の容器受けの実施状態を示す外観図である。
【００３６】  以上、本発明によれば、手首や顔の姿勢が楽になるので握力が弱かったり、摂食嚥下障害のある人でも、介助の一部を自力で行うことができる。自力を促すことでリハビリ効果が上がり、魅力ある陶磁器製の食器による食事の楽しさや、伴侶や家族と一緒のデザインの食器を使う満足感を得ることができる。
【図面の簡単な説明】
【００３７】
【図１】  本発明の実施形態を示す容器と把手の断面図
【図２】  本発明の把手を回転させた外観図
【図３】  本発明の把手の変形例を示す外観図
【図４】  本発明になる横棒が容器の垂れ下がりを防止する説明図
【図５】  従来の横Ｔ字形把手の容器で飲料を摂取したときの容器の位置を示す説明図
【図６】  本発明の容器受けの実施形態を示す断面図
【図７】  本発明の容器受けの爪と陶磁器の溝の接合状態を示す断面図
【図８】  本発明の容器受けの実施状態を示す外観図
【符号の説明】
【００３８】１      容器
１ａ    円錐状の凸部
１ｂ    円筒の穴
１ｃ    溝
２      把手
２ａ    把手の横棒
２ｂ    すり鉢状の凹部
２ｃ    棒
２ｄ    把手の回転中心
２ｅ    ひさし
２ｆ    左利き用の角度
２ｇ    右利き用の角度
２′    把手
３      接着剤
４      容器受け
４ａ    爪
４ｂ    隙間
４ｃ    リング
５      手
６      顔
θ      把手の横棒２ａの上面の線と把手の回転中心２ｄの成す角度
ｍ      容器１と把手２の段差
【図１】
2005144103.tif 000003
【図２】
2005144103.tif 000004
【図３】
2005144103.tif 000005
【図４】
2005144103.tif 000006
【図５】
2005144103.tif 000007
【図６】
2005144103.tif 000008
【図７】
2005144103.tif 000009
【図８】
2005144103.tif 000010